(57)【要約】【課題】レガシー網及びＩＭＳ網のそれぞれに相当数の利用者が存在する状況において、ネットワーク全体として、ＭＧＣＦの性能を向上させる。【解決手段】移転先ゲートウェイ装置となり得る他のゲートウェイ装置の識別情報を有するリストを格納する記憶部と、前記電話網内の装置から発呼信号を受信する受信部と、前記リストの中から１つの移転先ゲートウェイ装置を選択する移転先ゲートウェイ装置選択部と、選択された前記移転先ゲートウェイ装置に対する、リダイレクト通知を作成するリダイレクト通知作成部と、前記リダイレクト通知を前記移転先ゲートウェイ装置に送信するリダイレクト通知送信部と、前記発呼信号の呼識別情報等を含むリダイレクト要求信号を作成するリダイレクト要求信号作成部と、前記リダイレクト要求信号を、前記発呼信号を送信した電話網内の装置に送信するリダイレクト要求信号送信部と、を備えるゲートウェイ装置とした。【選択図】図１３
2008199512.tif 000002
【特許請求の範囲】
【請求項１】
リダイレクト機能を有する電話網とＩＭＳ（Internet Protocol Multimedia Subsystem）網とを接続し、前記電話網内の装置からの発呼信号を前記ＩＭＳ網内の装置へ転送するゲートウェイ装置であって、
移転先ゲートウェイ装置となり得る少なくとも１つの他のゲートウェイ装置の識別情報を有するリストを格納する記憶部と、
前記電話網内の装置から着側装置識別情報及び呼識別情報を含む発呼信号を受信する受信部と、
前記受信部が所定状況下で呼を受信した場合に、前記リストの中から１つの移転先ゲートウェイ装置を選択する移転先ゲートウェイ装置選択部と、
選択された前記移転先ゲートウェイ装置に対する、前記発呼信号の呼識別情報を含むリダイレクト通知を作成するリダイレクト通知作成部と、
前記リダイレクト通知を前記移転先ゲートウェイ装置に送信するリダイレクト通知送信部と、
移転元装置識別情報としての前記発呼信号の着側装置識別情報、着側装置識別情報としての前記移転先ゲートウェイ装置の識別情報、及び前記発呼信号の呼識別情報を含むリダイレクト要求信号を作成するリダイレクト要求信号作成部と、
前記リダイレクト要求信号を、前記発呼信号を送信した電話網内の装置に送信するリダイレクト要求信号送信部と、
を備えるゲートウェイ装置。
【請求項２】
前記リダイレクト通知に対する応答を、前記移転先ゲートウェイ装置から受信するリダイレクト通知応答受信部を、さらに備え、
前記リダイレクト要求信号作成部は、前記リダイレクト通知応答受信部が前記移転先ゲートウェイ装置から前記リダイレクト通知に対する応答を受信することを条件の一つとして、前記移転先ゲートウェイ装置の識別情報を含むリダイレクト要求信号を作成する、
請求項１に記載のゲートウェイ装置。
【請求項３】
自装置の負荷を管理する負荷管理部を、さらに備え、
前記移転先ゲートウェイ装置選択部は、前記電話網から送信された発呼信号を受信した時に、前記負荷管理部が管理する自装置の負荷が呼処理をすることができる最大負荷以上の場合に、前記移転先ゲートウェイ装置候補リストの中から１つの移転先ゲートウェイ装置を選択する、
請求項１及び２のいずれか１つに記載のゲートウェイ装置。
【請求項４】
前記負荷管理部が管理する自装置の負荷が呼処理をすることができる最大負荷以上になったとき、他のゲートウェイ装置に対して、該他のゲートウェイ装置が自ゲートウェイ装置を移転先ゲートウェイ装置として選択することを禁止するための、自ゲートウェイ装置の識別情報を含む輻輳通知を送信する輻輳通知送信部と、
前記負荷管理部が管理する自装置の負荷が呼処理をすることができる最大負荷未満になったとき、前記他のゲートウェイ装置に対して、該他のゲートウェイ装置が自ゲートウェイ装置を移転先ゲートウェイ装置として選択することを許可するための、自ゲートウェイ装置の識別情報を含む正常通知を送信する正常通知送信部と、
を備える請求項３に記載のゲートウェイ装置。
【請求項５】
他のゲートウェイ装置から当該他のゲートウェイ装置の識別情報を有する輻輳通知を受信する輻輳通知受信部と、
他のゲートウェイ装置から当該他のゲートウェイ装置の識別情報を有する正常通知を受信する正常通知受信部と、
前記輻輳通知の他のゲートウェイ装置の識別情報を、前記リストの移転先ゲートウェイ装置の候補から除外し、前記正常通知の他のゲートウェイ装置の識別情報を、前記リストの移転先ゲートウェイ装置の候補に追加する移転先ゲートウェイ装置候補管理部と、
を備える請求項４に記載のゲートウェイ装置。
【請求項６】
リダイレクト機能を有する電話網とＩＭＳ（Internet Protocol Multimedia Subsystem）網とを接続し、前記電話網内の装置からの発呼信号を前記ＩＭＳ網内の装置へ転送するゲートウェイ装置であって、
他のゲートウェイ装置から、該他のゲートウェイ装置で受信された発呼信号中の呼識別情報を含むリダイレクト通知を受信するリダイレクト通知受信部と、
前記リダイレクト通知の呼識別情報を格納する記憶部と、
前記リダイレクト通知に対する応答を作成するリダイレクト通知応答作成部と、
前記応答を前記他のゲートウェイ装置に送信するリダイレクト通知応答送信部と、
前記電話網から前記他のゲートウェイ装置によるリダイレクト要求に応じて送信される、移転元装置識別情報としての前記発呼信号中の着側装置識別情報と、着側装置識別情報としての自ゲートウェイ装置の識別情報とを含む再発呼信号を受信する受信部と、
前記呼の呼識別情報が前記記憶部に格納される前記呼識別情報の１つと一致した場合、前記再発呼信号中の前記移転元装置識別情報を前記着側装置識別情報として設定した発呼信号を作成する呼処理部と、
前記呼処理部で作成された前記再発呼信号をこの発呼信号中の着側装置識別情報に対応する着側装置に向けて送信する送信部と、
を備えるゲートウェイ装置。
【請求項７】
自装置の負荷を管理する負荷管理部と、
前記負荷管理部が管理する自装置の負荷が呼処理をすることができる最大負荷以上になったとき、他のゲートウェイ装置に対して、該他のゲートウェイ装置が自ゲートウェイ装置を移転先ゲートウェイ装置として選択することを禁止するための、自ゲートウェイ装置の識別情報を含む輻輳通知を送信する輻輳通知送信部と、
前記負荷管理部が管理する自装置の負荷が呼処理をすることができる最大負荷未満になったとき、前記他のゲートウェイ装置に対して、該他のゲートウェイ装置が自ゲートウェイ装置を移転先ゲートウェイ装置として選択することを許可するための、自ゲートウェイ装置の識別情報を含む正常通知を送信する正常通知送信部と、
を備える請求項６に記載のゲートウェイ装置。
【請求項８】
移転先ゲートウェイ装置となり得る少なくとも１つの他のゲートウェイ装置の識別情報を有するリストを格納する記憶部と、
他のゲートウェイ装置から当該他のゲートウェイ装置の識別情報を有する輻輳通知を受信する輻輳通知受信部と、
他のゲートウェイ装置から当該他のゲートウェイ装置の識別情報を有する正常通知を受信する正常通知受信部と、
前記輻輳通知の他のゲートウェイ装置の識別情報を、前記リストの移転先ゲートウェイ装置の候補から除外し、前記正常通知の他のゲートウェイ装置の識別情報を、前記リストの移転先ゲートウェイ装置の候補に追加する移転先ゲートウェイ装置候補管理部と、
を備える請求項７に記載のゲートウェイ装置。
【請求項９】
リダイレクト機能を有する電話網とＩＭＳ（Internet Protocol Multimedia Subsystem）網とを接続し、前記電話網内の装置からの発呼信号を前記ＩＭＳ網内の装置へ転送するゲートウェイ装置であって、
呼の移転先となり得る他のゲートウェイ装置の識別情報となり、かつ、迂回呼であることを示す特殊識別情報を有するリストを格納する記憶部と、
前記電話網内の装置から送信された着側装置識別情報及び呼識別情報を含む発呼信号を受信する受信部と、
前記受信部が所定状況下で発呼信号を受信した場合に、前記特殊識別情報リストの中から１つの特殊識別情報を選択する特殊識別情報選択部と、
着側装置識別情報としての選択された前記特殊識別情報及び前記発呼信号中の呼識別情報を含むリダイレクト要求信号を作成するリダイレクト要求信号作成部と、
前記リダイレクト要求信号を、前記発呼信号を送信した電話網内の装置に送信するリダイレクト要求信号送信部と、
を備えるゲートウェイ装置。
【請求項１０】
リダイレクト機能を有する電話網とＩＭＳ（Internet Protocol Multimedia Subsystem）網とを接続し、前記電話網内の装置からの発呼信号を前記ＩＭＳ網内の装置へ転送するＩＭＳ網内のゲートウェイ装置であって、
自装置で呼を迂回することを処理できる特殊識別情報を格納する記憶部と、
他のゲートウェイ装置からのリダイレクト要求に応じて前記電話網から送信される、移転元装置識別情報と着側装置識別情報とを含む再発呼信号を受信する受信部と、
前記再発呼信号中の着側装置識別情報が前記記憶部に格納される前記特殊識別情報の１つと一致した場合に、前記再発呼信号の前記移転元装置識別情報が前記着側装置識別情報として設定された発呼信号を作成する呼処理部と、
前記呼処理部で作成された発呼信号をこの発呼信号中の着側装置識別情報に対応する着側装置に向けて送信する送信部と、
を備えるゲートウェイ装置。
【発明の詳細な説明】
【技術分野】
【０００１】
本発明はレガシー網からＩＭＳ（Internet Protocol Multimedia Subsystem）網への移行時における、ＭＧＣＦ（Media Gateway Control Function）の負荷分散技術に関する。
【背景技術】
【０００２】
電話網（ＰＳＴＮ（Public Switched Telephone Networks、公衆交換電話網）、ＩＳＤＮ（Integrated Services Digital Network、サービス総合ディジタル網））における輻
輳対策として、シグナリングメッセージを迂回させる方式が存在する。例として、トラフィックコントロールシステム（ＴＣＳ、Traffic Control System）による制御を用いる方式や、レガシー網とＩＰ（Internet Protocol）網の境界装置からレガシー網に輻輳を通
知することで迂回を指示する方式（特許文献１）が挙げられる。これらは、いずれもレガシー網に対して迂回を指示するものであり、レガシー網は迂回することを意識してそれに応じた処理を行うものであった。そのため、レガシー網の運用事業者とＩＭＳ網の運用事業者とが異なっており、レガシー網に対して機能追加や迂回を意識させたくない場合には適さないものであった。
【０００３】
また、主に輻輳の原因として想定している災害時の呼の集中に対しては、従来技術ではネットワーク全体を管理する装置によって制御するものであり、多数の事業者／ドメインが混在した状況には適さないものであった。
【特許文献１】特開２００１−３３３１１４号公報
【特許文献２】特開２００３−３０９６５０号公報
【特許文献３】特開２００２−２９０５５１号公報
【発明の開示】
【発明が解決しようとする課題】
【０００４】
ＭＧＣＦを含むＩＭＳ網の管理事業者と、中継交換機を含むレガシー網の管理事業者とは、複数存在するため、これらが一体となって輻輳対策をするには多大な時間と労力が必要となる。今後、レガシー網が縮小していくことが予想される中、従来の技術であるレガシー網に対して多額の費用を投じて設備の変更をすることは回避したいことである。また、ＩＭＳ網において、ＭＧＣＦ（Media Gateway Control Function）の処理能力が全体として過剰となってしまうほど、設備を用意することは、費用の面から現実的ではない。従って、ＩＭＳ網の管理事業者単体で、過剰な設備を用意せず、他の網に影響を与えず、有効な輻輳対策をすることが望ましい。
【０００５】
本発明は、レガシー網及びＩＭＳ網のそれぞれに相当数の利用者が存在する状況において、ネットワーク全体として、ＭＧＣＦの性能を向上させることを課題とする。
【課題を解決するための手段】
【０００６】
本発明は、上記課題を解決するために、以下の手段を採用する。
【０００７】
即ち、本発明は、
リダイレクト機能を有する電話網とＩＭＳ（Internet Protocol Multimedia Subsystem）網とを接続し、前記電話網内の装置からの発呼信号を前記ＩＭＳ網内の装置へ転送するゲートウェイ装置であって、
移転先ゲートウェイ装置となり得る少なくとも１つの他のゲートウェイ装置の識別情報を有するリストを格納する記憶部と、
前記電話網内の装置から着側装置識別情報及び呼識別情報を含む発呼信号を受信する受信
部と、
前記受信部が所定状況下で呼を受信した場合に、前記リストの中から１つの移転先ゲートウェイ装置を選択する移転先ゲートウェイ装置選択部と、
選択された前記移転先ゲートウェイ装置に対する、前記発呼信号の呼識別情報を含むリダイレクト通知を作成するリダイレクト通知作成部と、
前記リダイレクト通知を前記移転先ゲートウェイ装置に送信するリダイレクト通知送信部と、
移転元装置識別情報としての前記発呼信号の着側装置識別情報、着側装置識別情報としての前記移転先ゲートウェイ装置の識別情報、及び前記発呼信号の呼識別情報を含むリダイレクト要求信号を作成するリダイレクト要求信号作成部と、
前記リダイレクト要求信号を、前記発呼信号を送信した電話網内の装置に送信するリダイレクト要求信号送信部と、
を備えるゲートウェイ装置である。
【０００８】
本発明によると、呼処理を他のゲートウェイ装置に移転することができる。
【０００９】
また、本発明は、好ましくは、上記構成に加えて、
前記リダイレクト通知に対する応答を、前記移転先ゲートウェイ装置から受信するリダイレクト通知応答受信部を、さらに備え、
前記リダイレクト要求信号作成部は、前記リダイレクト通知応答受信部が前記移転先ゲートウェイ装置から前記リダイレクト通知に対する応答を受信することを条件の一つとして、前記移転先ゲートウェイ装置の識別情報を含むリダイレクト要求信号を作成する、
ゲートウェイ装置とする。
【００１０】
本発明によると、呼処理を移転する際、確実に移転先で受け入れられることが担保される。
【００１１】
また、本発明は、好ましくは、上記構成に加えて、
自装置の負荷を管理する負荷管理部を、さらに備え、
前記移転先ゲートウェイ装置選択部は、前記電話網から送信された発呼信号を受信した時に、前記負荷管理部が管理する自装置の負荷が呼処理をすることができる最大負荷以上の場合に、前記移転先ゲートウェイ装置候補リストの中から１つの移転先ゲートウェイ装置を選択する、
ゲートウェイ装置とする。
【００１２】
本発明によると、ゲートウェイ装置の負荷が増大した時に、呼処理を他のゲートウェイ装置に移転することができる。
【００１３】
また、本発明は、好ましくは、上記構成に加えて、
前記負荷管理部が管理する自装置の負荷が呼処理をすることができる最大負荷以上になったとき、他のゲートウェイ装置に対して、該他のゲートウェイ装置が自ゲートウェイ装置を移転先ゲートウェイ装置として選択することを禁止するための、自ゲートウェイ装置の識別情報を含む輻輳通知を送信する輻輳通知送信部と、
前記負荷管理部が管理する自装置の負荷が呼処理をすることができる最大負荷未満になったとき、前記他のゲートウェイ装置に対して、該他のゲートウェイ装置が自ゲートウェイ装置を移転先ゲートウェイ装置として選択することを許可するための、自ゲートウェイ装置の識別情報を含む正常通知を送信する正常通知送信部と、
を備えるゲートウェイ装置とする。
【００１４】
本発明によると、他のゲートウェイ装置から移転先ゲートウェイ装置として選択される
ことの可否を、他の装置に通知することができる。
【００１５】
また、本発明は、好ましくは、上記構成に加えて、
他のゲートウェイ装置から当該他のゲートウェイ装置の識別情報を有する輻輳通知を受信する輻輳通知受信部と、
他のゲートウェイ装置から当該他のゲートウェイ装置の識別情報を有する正常通知を受信する正常通知受信部と、
前記輻輳通知の他のゲートウェイ装置の識別情報を、前記リストの移転先ゲートウェイ装置の候補から除外し、前記正常通知の他のゲートウェイ装置の識別情報を、前記リストの移転先ゲートウェイ装置の候補に追加する移転先ゲートウェイ装置候補管理部と、
を備えるゲートウェイ装置である。
【００１６】
本発明によると、他のゲートウェイ装置からの輻輳通知等を反映して、移転先ゲートウェイ装置を選択することができる。
【００１７】
また、本発明は、
リダイレクト機能を有する電話網とＩＭＳ（Internet Protocol Multimedia Subsystem）網とを接続し、前記電話網内の装置からの発呼信号を前記ＩＭＳ網内の装置へ転送するゲートウェイ装置であって、
他のゲートウェイ装置から、該他のゲートウェイ装置で受信された発呼信号中の呼識別情報を含むリダイレクト通知を受信するリダイレクト通知受信部と、
前記リダイレクト通知の呼識別情報を格納する記憶部と、
前記リダイレクト通知に対する応答を作成するリダイレクト通知応答作成部と、
前記応答を前記他のゲートウェイ装置に送信するリダイレクト通知応答送信部と、
前記電話網から前記他のゲートウェイ装置によるリダイレクト要求に応じて送信される、移転元装置識別情報としての前記発呼信号中の着側装置識別情報と、着側装置識別情報としての自ゲートウェイ装置の識別情報とを含む再発呼信号を受信する受信部と、
前記呼の呼識別情報が前記記憶部に格納される前記呼識別情報の１つと一致した場合、前記再発呼信号中の前記移転元装置識別情報を前記着側装置識別情報として設定した発呼信号を作成する呼処理部と、
前記呼処理部で作成された前記再発呼信号をこの発呼信号中の着側装置識別情報に対応する着側装置に向けて送信する送信部と、
を備えるゲートウェイ装置である。
【００１８】
本発明によると、他のゲートウェイ装置から移転された呼を所望の着側端末に向けて転送することができる。
【００１９】
また、本発明は、
リダイレクト機能を有する電話網とＩＭＳ（Internet Protocol Multimedia Subsystem）網とを接続し、前記電話網内の装置からの発呼信号を前記ＩＭＳ網内の装置へ転送するゲートウェイ装置であって、
呼の移転先となり得る他のゲートウェイ装置の識別情報となり、かつ、迂回呼であることを示す特殊識別情報を有するリストを格納する記憶部と、
前記電話網内の装置から送信された着側装置識別情報及び呼識別情報を含む発呼信号を受信する受信部と、
前記受信部が所定状況下で発呼信号を受信した場合に、前記特殊識別情報リストの中から１つの特殊識別情報を選択する特殊識別情報選択部と、
着側装置識別情報としての選択された前記特殊識別情報及び前記発呼信号中の呼識別情報を含むリダイレクト要求信号を作成するリダイレクト要求信号作成部と、
前記リダイレクト要求信号を、前記発呼信号を送信した電話網内の装置に送信するリダイ
レクト要求信号送信部と、
を備えるゲートウェイ装置である。
【００２０】
本発明によると、呼処理を他のゲートウェイ装置に移転する前に当該他のゲートウェイ装置に通知することなく、当該呼処理を当該他のゲートウェイ装置に移転することができる。
【００２１】
また、本発明は、
リダイレクト機能を有する電話網とＩＭＳ（Internet Protocol Multimedia Subsystem）網とを接続し、前記電話網内の装置からの発呼信号を前記ＩＭＳ網内の装置へ転送するＩＭＳ網内のゲートウェイ装置であって、
自装置で呼を迂回することを処理できる特殊識別情報を格納する記憶部と、
他のゲートウェイ装置からのリダイレクト要求に応じて前記電話網から送信される、移転元装置識別情報と着側装置識別情報とを含む再発呼信号を受信する受信部と、
前記再発呼信号中の着側装置識別情報が前記記憶部に格納される前記特殊識別情報の１つと一致した場合に、前記再発呼信号の前記移転元装置識別情報が前記着側装置識別情報として設定された発呼信号を作成する呼処理部と、
前記呼処理部で作成された発呼信号をこの発呼信号中の着側装置識別情報に対応する着側装置に向けて送信する送信部と、
を備えるゲートウェイ装置である。
【００２２】
本発明によると、移転元ゲートウェイ装置から事前に通知を受けることなく、移転元ゲートウェイ装置から移転された呼を、所望の着側端末に向けて転送することができる。
【００２３】
ここで、本発明における「ゲートウェイ装置」には、ＭＧＣＦが含まれる。本発明の「電話網」には、レガシー網が含まれる。
【発明の効果】
【００２４】
本発明によれば、レガシー網及びＩＭＳ網のそれぞれに相当数の利用者が存在する状況において、ネットワーク全体として、ＭＧＣＦの性能を向上させることが可能となる。
【発明を実施するための最良の形態】
【００２５】
以下、図面を参照して本発明の実施形態について説明する。実施形態の構成は例示であり、本発明は実施形態の構成に限定されない。
【００２６】
〔実施形態１〕
〈構成〉
（ネットワーク構成）
図１は、本実施形態におけるネットワークの構成例を示す図である。本実施形態におけるネットワークは、レガシー網１０とＩＭＳ網２０とに分けられる。レガシー網１０は、レガシー網加入者端末１００、レガシー網加入者交換機２００、中継交換機３００を備える。ＩＭＳ網２０は、移転元ＭＧＣＦ（Media Gateway Control Function）４００、移転先ＭＧＣＦ５００、着側Ｓ−ＣＳＣＦ（Serving Call Session Control Function）６０
０、ＩＭＳ網加入者端末７００を備える。
【００２７】
移転元ＭＧＣＦ４００と移転先ＭＧＣＦ５００とは、それぞれＭＧＣＦとして同一の構成を有する。つまり、ＭＧＣＦは、移転元としての機能と、移転先としての機能と、を備える。以下、ＭＧＣＦが、移転元として機能する場合を「移転元ＭＧＣＦ」として、移転先として機能する場合を「移転先ＭＧＣＦ」として、説明する。
【００２８】
（レガシー網）
レガシー網１０は、レガシー網加入者端末１００、レガシー網加入者交換機２００、中継交換機３００を備える。
【００２９】
《レガシー網加入者端末》
レガシー網加入者端末１００は、一般的なレガシー網加入者端末としての機能を有する。レガシー網加入者端末１００は、ＩＭＳ網加入者端末７００に対する発呼信号Ｍ１００を、レガシー網加入者交換機２００に送信する。
【００３０】
図２は、通常の発呼信号の例を示す図である。通常の発呼信号Ｍ１００は、メッセージタイプ、呼識別番号、発番号、着番号等のフィールドを有する。発呼信号Ｍ１００のメッセージタイプは、「発呼」である。呼識別番号は、呼毎に固有に設定される識別番号である。呼識別番号によって、呼を一意に特定することができる。発呼信号Ｍ１００の発番号は、発信する側の装置の識別番号である。図２では、発番号としてレガシー網加入者端末１００の識別番号である「Ａ」が記載されている。発呼信号Ｍ１００の着番号は、原則として最終的に着信する側の装置の識別番号である。図２では、着番号としてＩＭＳ網加入者端末７００の識別番号である「Ｘ」が記載されている。発呼信号Ｍ１００は、着番号である「Ｘ」で識別される装置に向けて呼転送される。
【００３１】
《レガシー網加入者交換機》
レガシー網加入者交換機２００は、リダイレクト信号を扱える一般的な加入者交換機としての機能を有する。レガシー網加入者交換機２００は、レガシー網加入者端末１００から受信した発呼信号Ｍ１００を、中継交換機３００に送信する。
【００３２】
《中継交換機》
中継交換機３００は、リダイレクト信号を扱える一般的な中継交換機としての機能を有する。中継交換機３００は、レガシー網加入者交換機２００から受信した発呼信号Ｍ１００を、ＩＭＳ網の移動元ＭＧＣＦ４００に送信する。
【００３３】
また、中継交換機３００は、移動元ＭＧＣＦ４００からリダイレクト信号Ｍ２００を受信すると、リダイレクト信号Ｍ２００とリダイレクト信号Ｍ２００の呼識別番号と同一の呼識別番号を有する発呼信号Ｍ１００とから、再発呼信号Ｍ４００を作成する。中継交換機３００は、再発呼信号Ｍ４００を移転先ＭＧＣＦ４００に送信する。
【００３４】
図３は、リダイレクト信号の例を示す図である。リダイレクト信号Ｍ２００は、メッセージタイプ、呼識別番号、発番号、着番号、移転元番号等のフィールドを有する。リダイレクト信号Ｍ２００のメッセージタイプは、「リダイレクト」である。リダイレクト信号Ｍ２００の呼識別番号には、リダイレクトする呼の呼識別番号と同一の番号が記載される。リダイレクト信号Ｍ２００の発番号は、呼を最初に発信した装置の識別番号である。図３では、発番号として呼を最初に発信したレガシー網加入者端末１００の識別番号である「Ａ」が記載されている。リダイレクト信号Ｍ２００の着番号は、移転先となるＭＧＣＦの識別番号である。図３では、着番号として移転先ＭＧＣＦ５００の識別番号である「Ｙ」が記載されている。リダイレクト信号Ｍ２００の移転元番号は、もともとの発呼信号Ｍ１００における着番号である。図３では、移転元番号としてもともとの発呼信号Ｍ１００の着番号である「Ｘ」が記載されている。
【００３５】
図４は、再発呼信号の例を示す図である。再発呼信号Ｍ４００は、メッセージタイプ、呼識別番号、発番号、着番号、移転元番号等のフィールドを有する。再発呼信号Ｍ４００は、中継交換機３００で作成される。再発呼信号Ｍ４００のメッセージタイプは、「発呼」である。再発呼信号Ｍ４００は、原則として通常の発呼信号と同様に扱われるため、メ
ッセージタイプは、発呼信号Ｍ１００と同一である。再発呼信号Ｍ４００の呼識別番号は、リダイレクトする呼の呼識別番号である。再発呼信号Ｍ４００の発番号は、もともとの発呼信号Ｍ１００における発番号である。再発呼信号Ｍ４００の着番号は、移転先のＭＧＣＦの識別番号である。再発呼信号Ｍ４００の着番号は、リダイレクト信号Ｍ２００の着番号と同一である。再発呼信号Ｍ４００の着番号に、移転先のＭＧＣＦの識別番号を記載することによって、移転先ＭＧＣＦ５００を経由して呼を迂回することができる。再発呼信号Ｍ４００の移転元番号は、リダイレクト信号Ｍ２００の移転元番号と同一であり、発呼信号Ｍ１００における着番号（最終的に着信する側の装置の識別番号）である。
【００３６】
元の発呼信号の着番号を、リダイレクト信号による要求に従って別の番号に書き換えた再発呼信号を作成することにより、元の発呼信号をその着番号とは別の番号に呼を転送することができる。リダイレクト信号は、何らかの理由により、呼を元の発呼信号で指定された着番号とは別の番号に着呼させる必要がある呼に対して作成される。よって、発呼端末からの呼を切断することなくリダイレクト信号で指定された着番号に着呼させることができる。この機能を、リダイレクト機能と称する。
【００３７】
（ＩＭＳ網）
ＩＭＳ網２０は、移転元ＭＧＣＦ４００、移転先ＭＧＣＦ５００、着側Ｓ−ＣＳＣＦ６００、ＩＭＳ網加入者端末７００を備える。
【００３８】
《移転元ＭＧＣＦ》
図５は、移転元ＭＧＣＦ４００の構成例を示す図である。移転元ＭＧＣＦ４００は、通信管理部４１０、メッセージ制御部４２０、リダイレクト処理部４４０、負荷・移転先ＭＧＣＦ管理部４５０、通常メッセージ処理部４３０を備える。
【００３９】
通信管理部４１０は、他の装置からメッセージを受信すると、該メッセージをメッセージ制御部４２０に渡す。また、通信管理部４１０は、メッセージ制御部４２０から渡されたメッセージを他の装置に送信する。
【００４０】
メッセージ制御部４２０は、通信管理部４１０から渡されたメッセージに対してリダイレクトの要否を判断する。メッセージ制御部４２０は、メッセージ制御部４２０が保持しているリダイレクト要否情報Ｔ２００によって、リダイレクトの要否の判断を行う。リダイレクト要否情報Ｔ２００は、あらかじめリダイレクト処理部４５０によって設定される。リダイレクトが必要であると判断した場合は、メッセージ制御部４２０は、メッセージをリダイレクト処理部４５０に渡す。リダイレクトが不要である場合は、メッセージ制御部４２０は、メッセージを通常メッセージ処理部４３０に渡す。また、メッセージのメッセージタイプがリダイレクト通知応答メッセージＭ３５０である場合は、メッセージ制御部４２０は、当該メッセージをリダイレクト処理部４５０に渡す。また、メッセージ制御部４２０は、リダイレクト処理部４５０から渡されたメッセージを、通信管理部４１０にそのまま渡す。
【００４１】
図６は、メッセージ制御部４２０が保持するリダイレクト要否情報の例を示す図である。リダイレクト要否情報Ｔ２００は、リダイレクトが必要であるか否かの情報を有する。リダイレクト要否情報Ｔ２００は、負荷・移転先ＭＧＣＦ管理部４４０が有する自装置負荷情報Ｔ１００に基づいて作成される。
【００４２】
リダイレクト処理部４５０は、メッセージ制御部４２０からリダイレクトが必要なメッセージが渡されると、負荷・移転先ＭＧＣＦ管理部４４０からのデータを元にリダイレクト通知メッセージＭ３００の生成を行い、メッセージ制御部４２０に渡す。リダイレクト処理部４５０は、負荷・移転先ＭＧＣＦ管理部４４０の移転先候補リストＴ３００を参照
して、リダイレクト可能なＭＧＣＦの中から移転先ＭＧＣＦを選択する。
【００４３】
図７は、リダイレクト通知メッセージに含まれる情報の例を示す図である。リダイレクト通知メッセージＭ３００は、移転先ＭＧＣＦ５００に対して、呼を迂回することを通知するメッセージである。リダイレクト通知メッセージＭ３００は、移転元ＭＧＣＦ４００から移転先ＭＧＣＦ５００に送信される。リダイレクト通知メッセージＭ３００は、メッセージタイプ、呼識別番号等のフィールドを有する。リダイレクト通知メッセージＭ３００のメッセージタイプは、「リダイレクト通知」である。リダイレクト通知メッセージの呼識別番号は、リダイレクトさせたい呼の呼識別番号である。
【００４４】
また、リダイレクト処理部４５０は、メッセージ制御部４２０からリダイレクト通知応答メッセージＭ３５０が渡されると、負荷・移転先ＭＧＣＦ管理部４４０からのデータを元にリダイレクト信号Ｍ２００の生成を行い、メッセージ制御部４２０に渡す。
【００４５】
図８は、リダイレクト通知応答メッセージに含まれる情報の例を示す図である。リダイレクト通知応答メッセージＭ３５０は、移転元ＭＧＣＦが移転先ＭＧＣＦに送信するリダイレクト通知メッセージＭ３００に対する応答のメッセージである。リダイレクト通知応答メッセージＭ３５０は、移転先ＭＧＣＦ５００から移転元ＭＧＣＦ４００に送信される。リダイレクト通知応答メッセージＭ３５０は、メッセージタイプ、呼識別番号等のフィールドを有する。リダイレクト通知応答メッセージＭ３５０のメッセージタイプは、「リダイレクト通知応答」である。リダイレクト通知応答メッセージＭ３５０の呼識別番号は、リダイレクトさせたい呼の呼識別番号である。
【００４６】
負荷・移転先ＭＧＣＦ管理部４４０は、自装置負荷情報Ｔ１００と、自装置の負荷が高くなった場合の移転先ＭＧＣＦの移転先候補リストＴ３００を有する。
【００４７】
図９は、負荷・移転先ＭＧＣＦ管理部４４０が有する自装置負荷情報の例を示す図である。自装置負荷情報Ｔ１００は、例えば、ＭＧＣＦの最大負荷を１００％として、自装置の負荷の状態（割合）を保持している。自装置負荷情報Ｔ１００は、負荷・移転先ＭＧＣＦ管理部４４０によって、定期的に更新される。ここで、例えば、自装置の負荷が７５％未満を正常状態であるとする。つまり、ＭＧＣＦが呼転送をすることができる最大負荷を７５％であるとする。すなわち、自装置負荷情報Ｔ１００の自装置の負荷が、７５％以上の場合は、リダイレクト要否情報Ｔ２００にはリダイレクトが必要である旨が記録される。また、自装置負荷情報Ｔ１００の自装置の負荷が、７５％未満の場合は、リダイレクト要否情報Ｔ２００にはリダイレクトが不要である旨が記録される。上述した自装置の負荷の閾値は、７５％に限定されない。
【００４８】
図１０は、負荷・移転先ＭＧＣＦ管理部４４０が有する移転先候補リストの例を示す図である。移転先候補リストＴ３００には、移転先ＭＧＣＦとなり得るＭＧＣＦのアドレスと、それぞれのＭＧＣＦが現在リダイレクト処理可能か否かの状態とが、記録されている。
【００４９】
通常メッセージ処理部４３０は、メッセージ制御部４２０からメッセージを渡されると、リダイレクトしない場合のメッセージ処理を行う。
【００５０】
自装置負荷情報Ｔ１００、リダイレクト要否情報Ｔ２００、移転先候補リストＴ３００等は、移転元ＭＧＣＦ４００の内部に設けられた記憶部、または、移転元ＭＧＣＦ４００の外部に設けられた記憶装置に格納してもよい。
【００５１】
《移転先ＭＧＣＦ》
図１１は、移転先ＭＧＣＦ５００の構成例を示す図である。移転先ＭＧＣＦ５００は、通信管理部５１０、メッセージ制御部５２０、転送メッセージ処理部５６０、通常メッセージ処理部５３０を備える。
【００５２】
通信管理部５１０は、他の装置からのメッセージを受信して、メッセージ制御部５２０に渡す。通信管理部５１０は、メッセージ制御部５２０から渡されたメッセージを他の装置へ送信をする。
【００５３】
メッセージ制御部５２０は、通信管理部５１０から渡されたメッセージがリダイレクト通知メッセージＭ３００であるか否かを判断する。メッセージがリダイレクト通知メッセージＭ３００でない場合は、メッセージ制御部５２０は、そのメッセージがリダイレクトによって迂回してきた呼であるか否かを判断する。迂回してきた呼であるか否かの判断は、リダイレクト通知メッセージＭ３００を受けた際に設定されたデータにより行う。迂回してきた呼の場合は、メッセージ制御部５２０は、転送メッセージ処理部５６０にメッセージを渡す。メッセージがリダイレクト通知メッセージＭ３００であった場合は、メッセージ制御部５２０は、その呼識別番号を呼識別番号リストＴ４００に保持する。メッセージ制御部５２０は、転送メッセージ処理部５６０から渡されたメッセージを、通信管理部５２０にそのまま渡す。
【００５４】
図１２は、メッセージ制御部５２０が保持する呼識別番号リストの例を示す図である。呼識別番号リストＴ４００は、リダイレクト通知メッセージＭ３００により通知された呼識別番号を保持する。
【００５５】
転送メッセージ処理部５６０は、メッセージ制御部５２０からメッセージが渡されると、移転元番号を着番号に設定し直したメッセージの生成を行う。転送メッセージ処理部５６０は、新たに生成したメッセージを、メッセージ制御部５２０に返す。当該メッセージは、レガシー網加入者端末１００から転送されてきた通常の発呼信号Ｍ１００と同様のものとなる。
【００５６】
通常メッセージ処理部５３０は、メッセージ制御部５２０からメッセージを渡されると、リダイレクトされていない場合のメッセージ処理を行う。
【００５７】
呼識別番号リストＴ４００等は、移転先ＭＧＣＦ５００の内部に設けられた記憶部、または、移転先ＭＧＣＦ５００の外部に設けられた記憶装置に格納してもよい。
【００５８】
《着側Ｓ−ＣＳＣＦ》
着側Ｓ−ＣＳＣＦ６００は、一般的な着側Ｓ−ＣＳＣＦとしての機能を有する。ただし、着側Ｓ−ＣＳＣＦ６００は、どこから来た呼でも受けられるようになっていることが必要である。着側Ｓ−ＣＳＣＦ６００が特定の装置からの呼のみしか受けられないと、迂回してきた呼を転送できなくなるからである。着側Ｓ−ＣＳＣＦ６００は、移転先ＭＧＣＦ５００から受信した発呼信号を、ＩＭＳ網加入者端末７００に送信する。
【００５９】
《ＩＭＳ網加入者端末》
ＩＭＳ網加入者端末７００は、一般的なＩＭＳ網加入者端末としての機能を有する。ＩＭＳ網加入者端末７００は、着側Ｓ−ＣＳＣＦ６００から発呼信号を着呼する。
【００６０】
〈動作例〉
（迂回シーケンス）
図１３は、リダイレクトする呼の情報を移転先ＭＧＣＦにて、リダイレクト通知メッセージにより識別する場合のシーケンスを示す図である。
【００６１】
レガシー網１０のレガシー網加入者端末１００が、ＩＭＳ網加入者端末７００に対する通常の発呼をする（ＳＱ１００２）。図２に示すように、レガシー網加入者端末からの発呼信号Ｍ１００には、呼識別番号として呼を一意に特定する識別番号である「ａａａ」、発番号としてレガシー網加入者端末１００の識別番号である「Ａ」、着番号としてＩＭＳ網加入者端末７００の識別番号である「Ｘ」が含まれる。
【００６２】
レガシー網加入者交換機２００は、レガシー網加入者端末１００から受信した通常の発呼信号Ｍ１００を中継交換機３００に転送する（ＳＱ１００４）。
【００６３】
中継交換機３００は、レガシー網加入者端末から受信した発呼信号Ｍ１００を、ＩＭＳ網２０の移転元ＭＧＣＦ４００に転送する（ＳＱ１００６）。
【００６４】
中継交換機３００から発呼信号Ｍ１００を受信したＩＭＳ網２０の移転元ＭＧＣＦ４００は、自装置の負荷を調べ、自装置の負荷が高いことを検知する（ＳＱ１００８）。移転元ＭＧＣＦ４００は、メッセージ制御部４２０が保持するリダイレクト要否情報Ｔ２００を確認する。
【００６５】
移転元ＭＧＣＦ４００は、リダイレクト要否情報Ｔ２００のリダイレクト要否が「要」であることにより、自装置の負荷が高いことを検知する。このとき、移転元ＭＧＣＦ４００は、自装置の負荷が高いため、中継交換機３００から転送された発呼信号Ｍ１００を転送できない。
【００６６】
そこで、移転元ＭＧＣＦ４００は、負荷・移転先ＭＧＣＦ管理部４４０が保有する移転先候補リストＴ３００を参照して、代替のＭＧＣＦとして移転先ＭＧＣＦ５００を選択する。移転元ＭＧＣＦ４００は、選択された移転先ＭＧＣＦ５００にリダイレクト通知メッセージＭ３００を送信する（ＳＱ１０１０）。図７に示すように、リダイレクト通知メッセージＭ３００には、呼識別番号として発呼信号Ｍ１００の呼識別番号である「ａａａ」が含まれる。
【００６７】
移転先ＭＧＣＦ５００は、移転元ＭＧＣＦ４００からリダイレクト通知メッセージＭ３００を受信する。移転先ＭＧＣＦ５００は、移転元ＭＧＣＦ４００に転送された発呼信号Ｍ１００の呼識別番号「ａａａ」を、呼識別番号リストＴ４００に記録する（ＳＱ１０１２）。
【００６８】
移転先ＭＧＣＦ５００は、移転元ＭＧＣＦ４００に対しリダイレクト通知応答メッセージＭ３５０を返す（ＳＱ１０１４）。リダイレクト通知応答メッセージＭ３５０には、呼識別番号として迂回させる呼の呼識別番号「ａａａ」が含まれる。
【００６９】
移転元ＭＧＣＦ４００は、移転先ＭＧＣＦ５００からダイレクト通知応答メッセージＭ３５０を受信する。これにより、移転元ＭＧＣＦ４００で処理できない呼（呼識別番号「ａａａ」）を移転先ＭＧＣＦ５００で処理することが移転元ＭＧＣＦ４００で確認される。移転元ＭＧＣＦ４００は、移転先ＭＧＣＦ５００の識別番号（「Ｙ」）を着番号に、本来の着番号（「Ｘ」）を移転元番号に、設定したリダイレクト信号Ｍ２００を発信元の中継交換機３００に返す（ＳＱ１０１６）。
【００７０】
中継交換機３００は、通常のリダイレクト手順に従って呼を移転先ＭＧＣＦ５００に転送する（Ｓ１０１８）。具体的には、中継交換機３００は、移転元ＭＧＣＦ５００の識別番号（「Ｙ」）を着番号に、本来の着番号（「Ｘ」）を移転元番号に、設定した再発呼信号Ｍ４００を作成する。再発呼信号Ｍ４００のメッセージタイプは、「発呼」である。こ
れは、通常の発呼信号Ｍ１００と同様である。中継交換機３００は、再発呼信号Ｍ４００を移転先ＭＧＣＦ５００に送信する。
【００７１】
移転先ＭＧＣＦ５００は、再発呼信号Ｍ４００を受信すると、保持している呼識別番号リストＴ４００を参照する。移転先ＭＧＣＦ５００は、再発呼信号Ｍ４００の呼識別番号が呼識別番号リストＴ４００の呼識別番号の１つと一致すると、その呼は迂回呼であると判断する。移転先ＭＧＣＦ５００は、迂回呼であると判断された再発呼信号Ｍ４００の移転元番号（「Ｘ」）を着番号に設定した発呼信号を生成する（Ｓ１０２０）。移転先ＭＧＣＦ５００は、再発呼信号Ｍ４００の着番号を「Ｘ」に書き換えて発呼信号としてもよい。移転先ＭＧＣＦ５００は、着側Ｓ−ＣＳＣＦ６００に発呼信号の転送を行う（Ｓ１０２２）。
【００７２】
着側Ｓ−ＣＳＣＦ６００は、移転先ＭＧＣＦ５００から受信した発呼信号を、通常のシグナリングメッセージとして処理し、着側であるＩＭＳ網加入者端末７００（識別番号「Ｘ」）に着信する（ＳＱ１０２４）。
【００７３】
（移転先候補の設定シーケンス１）
図１４は、移転先ＭＧＣＦを移転元ＭＧＣＦにて選択するための情報をあらかじめ設定するシーケンス例を示す図である。
【００７４】
移転元ＭＧＣＦ４００は、負荷・移転先ＭＧＣＦ管理部４４０に移転先候補リストＴ３００を有する。図１２に示すように、移転先候補リストＴ３００には、移転先ＭＧＣＦの選択候補が記録されている。移転先ＭＧＣＦの選択候補は、移転元ＭＧＣＦ４００から地理的に離れた場所にあることが望ましい。他のＭＧＣＦも同様に移転先候補リストＴ３００を持つ。
【００７５】
移転元ＭＧＣＦ４００は、定期的に、自装置の負荷を監視し、自装置負荷情報Ｔ１００を負荷・移転先ＭＧＣＦ管理部４４０で管理している。図９に示すように、自装置負荷情報Ｔ１００は、例えば、ＭＧＣＦの最大負荷を１００％として、自装置の負荷の状態（割合）を保持している。また、移転元ＭＧＣＦ４００は、リダイレクト要否情報Ｔ２００をメッセージ制御部４２０に保持している。ここで、例えば、ＭＧＣＦの負荷が７５％未満であるときを正常状態であるとする。つまり、ＭＧＣＦが呼転送をすることができる最大負荷を７５％であるとする。図６に示すように、リダイレクト要否情報Ｔ２００には、例えば、移転元ＭＧＣＦ４００の自装置の負荷が７５％以上の場合、リダイレクト要否が「要」であると記録される。また、移転元ＭＧＣＦ４００の自装置の負荷が７５％未満の場合、リダイレクト要否が「不要」であると記録される。
【００７６】
ＭＧＣＦの負荷が正常状態から高くなった場合、自装置負荷情報Ｔ１００の自装置の負荷には７５％以上の値が記録され、リダイレクト要否情報Ｔ２００のリダイレクト要否には、「要」と記録される（ＳＱ３００２）。このとき、このＭＧＣＦは、呼を迂回することができない（移転先ＭＧＣＦとして機能することができない）。よって、自装置負荷が高くなったこのＭＧＣＦが、移転先ＭＧＣＦとして選択されないようにしなければならない。そこで、このＭＧＣＦは、このＭＧＣＦを移転先候補として移転先候補リストに記録している他のすべてのＭＧＣＦに対して、それぞれ、ＭＧＣＦ輻輳通知メッセージＭ５００を送信する（ＳＱ３０１２−１、・・・、ＳＱ３０１２−ｎ）。
【００７７】
図１５は、ＭＧＣＦ輻輳通知メッセージに含まれる情報の例を示す図である。ＭＧＣＦ輻輳通知メッセージＭ５００は、他のＭＧＣＦに対してリダイレクト不可を通知するメッセージである。ＭＧＣＦ輻輳通知メッセージＭ５００は、メッセージタイプ、ＭＧＣＦアドレス等のフィールドを含む。ＭＧＣＦ輻輳通知メッセージＭ５００のメッセージタイプ
は、「ＭＧＣＦ輻輳通知」である。ＭＧＣＦ輻輳通知メッセージＭ５００のＭＧＣＦアドレスは、リダイレクトが不可である自装置のアドレスである。
【００７８】
他のＭＧＣＦは、リダイレクト不可を通知するＭＧＣＦ輻輳通知メッセージＭ５００を受信すると、負荷が増大したＭＧＣＦがリダイレクト不可であるとの情報を、移転先候補リストＴ３００に保持する（ＳＱ３０１４−１、・・・、ＳＱ３０１４−ｎ）。他のＭＧＣＦは、ＭＧＣＦ輻輳通知メッセージＭ５００に対し、それぞれ、応答メッセージを返す（ＳＱ３０１６−１、・・・、ＳＱ３０１６−ｎ）。
【００７９】
（移転先候補の設定シーケンス２）
図１６は、負荷が高いため他のＭＧＣＦに対してＭＧＣＦ輻輳通知メッセージを送信していたＭＧＣＦの負荷が、正常に戻った場合のシーケンス例を示す図である。
【００８０】
ＭＧＣＦの負荷が高い状態から正常状態に戻った場合、自装置負荷情報Ｔ１００の自装置の負荷には７５％未満の値が記録され、リダイレクト要否情報Ｔ２００のリダイレクト要否には、「不要」と記録される（ＳＱ４００２）。このとき、このＭＧＣＦは、呼を迂回することができる（移転先ＭＧＣＦとして機能することができる）。よって、自装置負荷が正常状態のこのＭＧＣＦが、他のＭＧＣＦから移転先ＭＧＣＦとして選択されるようにする。そこで、この正常状態のＭＧＣＦは、このＭＧＣＦを移転先候補として移転先候補リストに記録している他のすべてのＭＧＣＦに対して、それぞれ、ＭＧＣＦ正常通知メッセージＭ６００を送信する（ＳＱ４０１２−１、・・・、ＳＱ４０１２−ｎ）。
【００８１】
図１７は、ＭＧＣＦ正常通知メッセージに含まれる情報の例を示す図である。ＭＧＣＦ正常通知メッセージＭ６００は、他のＭＧＣＦに対してリダイレクト可能を通知するメッセージである。ＭＧＣＦ正常通知メッセージＭ６００は、メッセージタイプ、ＭＧＣＦアドレス等のフィールドを含む。ＭＧＣＦ正常通知メッセージＭ５００のメッセージタイプは、「ＭＧＣＦ正常通知」である。ＭＧＣＦ正常通知メッセージＭ６００のＭＧＣＦアドレスは、リダイレクトが可能である自装置のアドレスである。
【００８２】
他のＭＧＣＦは、リダイレクト可能を通知するＭＧＣＦ正常通知メッセージＭ６００を受信すると、負荷が正常に戻ったＭＧＣＦがリダイレクト可能であるとの情報を、移転先候補リストＴ３００に保持する（ＳＱ４０１４−１、・・・、ＳＱ４０１４−ｎ）。他のＭＧＣＦは、ＭＧＣＦ正常通知メッセージＭ６００に対し、それぞれ、応答メッセージを返す（ＳＱ４０１６−１、・・・、ＳＱ４０１６−ｎ）。
【００８３】
本シーケンスによれば、各ＭＧＣＦにおいて、あらかじめ移転先のＭＧＣＦの候補を設定しておくことで、ＭＧＣＦの負荷が高くなった後に、移転先のＭＧＣＦを改めて探す必要がなくなる。
【００８４】
〈実施形態１の作用効果〉
本実施形態によると、ＭＧＣＦの負荷が高くなり呼処理ができなくなると、当該ＭＧＣＦは、負荷が高くなった移転元ＭＧＣＦから移転先ＭＧＣＦに対して、呼を迂回すること通知し、負荷が高くなった移転元ＭＧＣＦから中継交換機に対して、呼を移転先ＭＧＣＦに転送することを指示する。該中継交換機は、一度移転元ＭＧＣＦに送った呼を、通常のリダイレクト処理に従って、移転先ＭＧＣＦに転送する。移転先ＭＧＣＦは、中継交換機から受信した呼を本来の着側の端末に向けて転送する。
【００８５】
本実施形態によれば、移転先ＭＧＣＦは、移転元ＭＧＣＦから事前に呼を迂回することの通知を受けているため、当該呼が中継交換機から転送されてきたときに、その呼を適切に所望の着側端末に向けて転送することができる。
【００８６】
また、本実施形態によれば、各ＭＧＣＦが、事前に呼処理ができなくなった場合の呼の移転先ＭＧＣＦ候補を移転先ＭＧＣＦ候補リストとして格納することにより、負荷が高くなった際に速やかに呼を迂回する処理を行うことができる。
【００８７】
〔実施形態２〕
〈構成〉
（ネットワーク構成）
本実施形態におけるネットワーク構成は、実施形態１の図１と同様である。すなわち、本実施形態におけるネットワークは、レガシー網１０とＩＭＳ網２０とに分けられる。レガシー網１０は、レガシー網加入者端末１００、加入者交換機２００、中継交換機３００からなる。ＩＭＳ網２０は、移転元ＭＧＣＦ４００、移転先ＭＧＣＦ５００、着側Ｓ−ＣＳＣＦ６００、ＩＭＳ網加入者端末７００からなる。
【００８８】
（レガシー網）
本実施形態のレガシー網１０は、実施形態１のレガシー網１０と同様に、レガシー網加入者端末１００、レガシー網加入者交換機２００、中継交換機３００を備える。
【００８９】
レガシー網１０の各装置は、実施形態１と同様の構成を有する。
【００９０】
（ＩＭＳ網）
本実施形態のＩＭＳ網２０は、実施形態１のＩＭＳ網１０と同様に、移転元ＭＧＣＦ４００、移転先ＭＧＣＦ５００、着側Ｓ−ＣＳＣＦ６００、ＩＭＳ網加入者端末７００を備える。
【００９１】
本実施形態のＩＭＳ網２０の着側Ｓ−ＣＳＣＦ６００、ＩＭＳ網加入者端末７００は、実施形態１の各装置と同様の構成を有する。しかしながら、本実施形態の移転元ＭＧＣＦ４００及び移転先ＭＧＣＦ５００は、実施形態１の移転元ＭＧＣＦ４００及び移転先ＭＧＣＦ５００とは異なる機能構成を有する。
【００９２】
《移転元ＭＧＣＦ》
本実施形態の移転元ＭＧＣＦ４００は、図５に示す実施形態１の移転元ＭＧＣＦと同様の機能ブロックを有する。すなわち、本実施形態の移転元ＭＧＣＦ４００は、通信管理部４１０、メッセージ制御部４２０、リダイレクト処理部４４０、負荷・移転先ＭＧＣＦ管理部４５０、通常メッセージ処理部４３０を備える。
【００９３】
通信管理部４１０は、他の装置からメッセージを受信すると、該メッセージをメッセージ制御部４２０に渡す。また、通信管理部４１０は、メッセージ制御部４２０から渡されたメッセージを他の装置に送信する。
【００９４】
メッセージ制御部４２０は、通信管理部４１０から渡されたメッセージに対してリダイレクトの要否を判断する。メッセージ制御部４２０は、メッセージ制御部４２０が保持しているリダイレクト要否情報Ｔ２００によって、リダイレクトの要否の判断を行う。リダイレクト要否情報Ｔ２００は、あらかじめリダイレクト処理部４５０によって設定される。リダイレクトが必要であると判断した場合は、メッセージ制御部４２０は、メッセージをリダイレクト処理部４５０に渡す。リダイレクトが不要である場合は、メッセージ制御部４２０は、メッセージを通常メッセージ処理部４３０に渡す。また、メッセージ制御部４２０は、リダイレクト処理部４５０から渡されたメッセージを、通信管理部４１０にそのまま渡す。
【００９５】
メッセージ制御部４２０は、実施形態１と同様に、図６に示すようなリダイレクト要否情報を保持する。
【００９６】
リダイレクト処理部４５０は、メッセージ制御部４２０からリダイレクトが必要なメッセージが渡されると、負荷・移転先ＭＧＣＦ管理部４４０からのデータを元にリダイレクト信号Ｍ７００の生成を行い、メッセージ制御部４２０に渡す。
【００９７】
図１９は、本実施形態のリダイレクト信号の例を示す図である。リダイレクト信号Ｍ７００は、メッセージタイプ、呼識別番号、発番号、着番号、移転元番号等のフィールドを有する。リダイレクト信号Ｍ７００のメッセージタイプは、「リダイレクト」である。リダイレクト信号Ｍ７００の呼識別番号には、リダイレクトする呼の呼識別番号と同一の番号が記載される。リダイレクト信号Ｍ７００の発番号は、呼を最初に発信した装置の識別番号である。図３では、発番号として呼を最初に発信したレガシー網加入者端末１００の識別番号である「Ａ」が記載されている。リダイレクト信号Ｍ７００の移転元番号は、もともとの発呼信号Ｍ１００における着番号である。図３では、移転元番号としてもともとの発呼信号Ｍ１００の着番号である「Ｘ」が記載されている。ここで、リダイレクト信号Ｍ７００の着番号は、実施形態１とは異なり、特殊番号「ＷＷ」が記載される。特殊番号「ＷＷ」は、移転先ＭＧＣＦ５００の識別情報と迂回呼であることを示す情報とを含む特殊番号である。
【００９８】
特殊番号は、移転先ＭＧＣＦ５００に対して、迂回呼であることを知らせるための特別な番号である。この特殊番号は、（１）他に割り当てされておらず、レガシー側のルーティング情報で所望の移転先ＭＧＣＦに到達できる範囲の番号であり、（２）移転先ＭＧＣＦでこの特殊番号を受信すると、ルーティングしないで番号の載せ換えによって再転送できることが識別できる番号であることが必要である。特殊番号は、所望の移転先ＭＧＣＦを識別する情報と、呼が迂回呼であることを示す情報とを持つことが可能である。すなわち、例えば、着番号に当該特殊番号が記載された呼を受信したＭＧＣＦは、着番号を確認することで、その呼が迂回呼であることを認識することができる。また、特殊番号には、他の機能を有することを示す情報等を持たせることも可能である。
【００９９】
負荷・移転先ＭＧＣＦ管理部４４０は、自装置負荷情報Ｔ１００と、自装置の負荷が高くなった場合に使用する特殊番号リストＴ５００を有する。負荷・移転先ＭＧＣＦ管理部４４０は、図９に示す実施形態１と同様の自装置負荷情報Ｔ１００を有する。
【０１００】
自装置負荷情報Ｔ１００は、負荷・移転先ＭＧＣＦ管理部４４０によって、定期的に更新される。例えば、自装置負荷情報Ｔ１００の自装置の負荷が、７５％以上の場合は、リダイレクト要否情報Ｔ２００にはリダイレクトが必要である旨が記録される。また、自装置負荷情報Ｔ１００の自装置の負荷が、７５％未満の場合は、リダイレクト要否情報Ｔ２００にはリダイレクトが不要である旨が記録される。
【０１０１】
図２０は、特殊番号リストの例を示す図である。特殊番号リストＴ５００には、移転先ＭＧＣＦとなり得るＭＧＣＦを識別する情報と呼が迂回呼であることを示す情報とを含む特殊番号と、それぞれの特殊番号が現在使用可能であるか否かの状態とが、記録されている。移転元ＭＧＣＦ４００は、特殊番号リストＴ５００を参照して、リダイレクト可能な特殊番号の中から特殊番号を選択する。特殊番号リストＴ５００は、他のＭＧＣＦからの情報によって適宜更新され得る。
【０１０２】
通常メッセージ処理部４３０は、メッセージ制御部４２０からメッセージを渡されると、リダイレクトしない場合のメッセージ処理を行う。
【０１０３】
自装置負荷情報Ｔ１００、リダイレクト要否情報Ｔ２００、特殊番号リストＴ５００等は、移転元ＭＧＣＦ４００の内部に設けられる記憶部、または、移転元ＭＧＣＦ４００の外部に設けられる記憶装置に格納してもよい。
【０１０４】
《移転先ＭＧＣＦ》
本実施形態の移転先ＭＧＣＦ５００は、図１１に示す実施形態１の移転先ＭＧＣＦと同様の機能ブロックを有する。すなわち、本実施形態の移転先ＭＧＣＦ５００は、通信管理部５１０、メッセージ制御部５２０、転送メッセージ処理部５６０、通常メッセージ処理部５３０を備える。
【０１０５】
通信管理部５１０は、他の装置からのメッセージを受信して、メッセージ制御部５２０に渡す。通信管理部５１０は、メッセージ制御部５２０から渡されたメッセージを他の装置へ送信をする。
【０１０６】
メッセージ制御部５２０は、通信管理部５１０から渡されたメッセージがリダイレクトによって迂回してきた呼であるか否かを判断する。迂回してきた呼であるか否かの判断は、メッセージの着番号が自装置で処理できる特殊番号であるか否かにより判断する。メッセージ制御部５２０は、あらかじめ自装置で処理できる特殊番号の情報を有している。迂回してきた呼であると判断した場合は、メッセージ制御部５２０は、転送メッセージ処理部５６０にメッセージを渡す。メッセージ制御部５２０は、転送メッセージ処理部５６０から渡されたメッセージを、通信管理部５２０にそのまま渡す。
【０１０７】
図２１は、中継交換機から送信された迂回呼である情報を含む再発呼信号の例を示す図である。再発呼信号Ｍ８００は、図４に示す実施形態１の再発呼信号とほぼ同様であるが、再発呼信号Ｍ８００の着番号には、特殊番号「ＷＷ」が記載されている。特殊番号「ＷＷ」は、ここでは、移転先ＭＧＣＦ５００の識別情報と迂回呼であることを示す情報とを含む特殊番号である。
【０１０８】
転送メッセージ処理部５６０は、メッセージ制御部５２０からメッセージが渡されると、移転元番号を着番号に設定し直したメッセージの生成を行う。転送メッセージ処理部５６０は、新たに生成したメッセージを、メッセージ制御部５２０に返す。当該メッセージは、レガシー網加入者端末１００から転送されてきた通常の発呼信号Ｍ１００と同様のものとなる。
【０１０９】
通常メッセージ処理部５３０は、メッセージ制御部５２０からメッセージを渡されると、リダイレクトされていない場合のメッセージ処理を行う。
【０１１０】
自装置で処理できる特殊番号の情報等は、移転先ＭＧＣＦ５００の内部に設けられる記憶部、または、移転先ＭＧＣＦ５００の外部に設けられる記憶装置に格納してもよい。
【０１１１】
〈動作例〉
（迂回シーケンス）
図１８は、リダイレクトする呼の情報を移転先ＭＧＣＦにて、特殊番号により識別する場合のシーケンスを示す図である。
【０１１２】
図１３は、リダイレクトする呼の情報を移転先ＭＧＣＦにて、リダイレクト通知メッセージにより識別する場合のシーケンスを示す図である。
【０１１３】
レガシー網１０のレガシー網加入者端末１００が、ＩＭＳ網加入者端末７００に対する通常の発呼をする（ＳＱ２００２）。図２に示す実施形態１の発呼信号と同様に、レガシ
ー網加入者端末からの発呼信号Ｍ１００には、呼識別番号として呼を一意に特定する識別番号である「ａａａ」、発番号としてレガシー網加入者端末１００の識別番号である「Ａ」、着番号としてＩＭＳ網加入者端末７００の識別番号である「Ｘ」が含まれる。
【０１１４】
レガシー網加入者交換機２００は、レガシー網加入者端末１００から受信した通常の発呼信号Ｍ１００を中継交換機３００に転送する（ＳＱ２００４）。
【０１１５】
中継交換機３００は、レガシー網加入者端末から受信した発呼信号Ｍ１００を、ＩＭＳ網２０の移転元ＭＧＣＦ４００に転送する（ＳＱ２００６）。
【０１１６】
中継交換機３００から発呼信号Ｍ１００を受信したＩＭＳ網２０の移転元ＭＧＣＦ４００は、自装置の負荷を調べ、自装置の負荷が高いことを検知する（ＳＱ２００８）。移転元ＭＧＣＦ４００は、メッセージ制御部４２０が保持するリダイレクト要否情報Ｔ２００を確認する。
【０１１７】
移転元ＭＧＣＦ４００は、リダイレクト要否情報Ｔ２００のリダイレクト要否が「要」であることにより、自装置の負荷が高いことを検知する。このとき、移転元ＭＧＣＦ４００は、自装置の負荷が高いため、中継交換機３００から転送された発呼信号Ｍ１００を転送できない。
【０１１８】
そこで、移転元ＭＧＣＦ４００は、負荷・移転先ＭＧＣＦ管理部４４０が保有する特殊番号リストＴ５００を参照して、リダイレクトできる特殊番号を選択する。移転元ＭＧＣＦ４００は、移転先ＭＧＣＦ５００のリダイレクトできる特殊番号を着番号に、本来の着番号を移転元番号に、設定したリダイレクト信号Ｍ７００を発信元の中継交換機３００に返す（ＳＱ２０１６）。
【０１１９】
中継交換機３００は、通常のリダイレクト手順に従って呼を移転先ＭＧＣＦ５００に転送する（Ｓ２０１８）。具体的には、中継交換機３００は、リダイレクト信号Ｍ７００の着番号に記載された特殊番号を着番号に、本来の着番号を移転元番号に、設定した再発呼信号Ｍ８００を作成する。再発呼信号Ｍ８００のメッセージタイプは、「発呼」である。これは、通常の発呼信号Ｍ１００と同様である。中継交換機３００は、再発呼信号Ｍ８００を移転先ＭＧＣＦ５００に送信する。
【０１２０】
移転先ＭＧＣＦ５００は、再発呼信号Ｍ８００を受信すると、着番号が自装置で処理できる特殊番号であるか否かを判断する。移転先ＭＧＣＦ５００は、メッセージの着番号が自装置で処理できるリダイレクトを示す特殊番号であれば、その呼は迂回呼であると認識する。移転先ＭＧＣＦ５００は、迂回呼であると認識された再発呼信号Ｍ８００の移転元番号を着番号に設定した発呼信号を生成する（Ｓ２０２０）。移転先ＭＧＣＦ５００は、再発呼信号Ｍ８００の着番号を「Ｘ」に書き換えて発呼信号としてもよい。移転先ＭＧＣＦ５００は、着側Ｓ−ＣＳＣＦ６００に発呼信号の転送を行う（Ｓ２０２２）。
【０１２１】
着側Ｓ−ＣＳＣＦ６００は、移転先ＭＧＣＦ５００から受信した発呼信号を、通常のシグナリングメッセージとして処理し、着側であるＩＭＳ網加入者端末７００（識別番号「Ｘ」）に着信する（ＳＱ２０２４）。
【０１２２】
（特殊番号の設定シーケンス）
本実施形態の特殊番号の設定シーケンスは、実施形態１の図１４及び図１６に示されるシーケンスと同様である。しかしながら、本実施形態の特殊番号の設定シーケンスでは、実施形態１における移転先候補リストＴ３００の代わりに、特殊番号リストＴ５００が使用される。特殊番号リストＴ５００の特殊番号には、ＭＧＣＦを識別する情報と呼が迂回
呼であることを示す情報とが含まれる。
【０１２３】
〈実施形態２の作用効果〉
本実施形態によると、特殊番号に移転先ＭＧＣＦの識別情報と迂回呼であることを示す情報とを含むことで、移転先ＭＧＣＦは着番号（特殊番号）を見るだけで、迂回呼であることを判断できる。よって、移転元ＭＧＣＦは、事前に移転先ＭＧＣＦに対して、呼を迂回することの通知をする必要がない。移転先ＭＧＣＦは、迂回呼であることを示す特殊番号を含む呼を受信した場合、迂回呼であると判断して、呼を適切に転送することができる。
【０１２４】
本実施形態によれば、移転元ＭＧＣＦが、呼を迂回する際、移転先ＭＧＣＦに対して、リダイレクト通知メッセージを送信せず、中継交換機に対してリダイレクト信号を送信するため、呼をより迅速に迂回させることができる。
【０１２５】
〔その他〕
上記した実施形態は、以下の発明を開示する。以下の発明は、必要に応じて適宜組み合わせることができる。
【０１２６】
（付記１）
リダイレクト機能を有する電話網とＩＭＳ（Internet Protocol Multimedia Subsystem）網とを接続し、前記電話網内の装置からの発呼信号を前記ＩＭＳ網内の装置へ転送するゲートウェイ装置であって、
移転先ゲートウェイ装置となり得る少なくとも１つの他のゲートウェイ装置の識別情報を有するリストを格納する記憶部と、
前記電話網内の装置から着側装置識別情報及び呼識別情報を含む発呼信号を受信する受信部と、
前記受信部が所定状況下で呼を受信した場合に、前記リストの中から１つの移転先ゲートウェイ装置を選択する移転先ゲートウェイ装置選択部と、
選択された前記移転先ゲートウェイ装置に対する、前記発呼信号の呼識別情報を含むリダイレクト通知を作成するリダイレクト通知作成部と、
前記リダイレクト通知を前記移転先ゲートウェイ装置に送信するリダイレクト通知送信部と、
移転元装置識別情報としての前記発呼信号の着側装置識別情報、着側装置識別情報としての前記移転先ゲートウェイ装置の識別情報、及び前記発呼信号の呼識別情報を含むリダイレクト要求信号を作成するリダイレクト要求信号作成部と、
前記リダイレクト要求信号を、前記発呼信号を送信した電話網内の装置に送信するリダイレクト要求信号送信部と、
を備えるゲートウェイ装置（１）。
【０１２７】
（付記２）
前記リダイレクト通知に対する応答を、前記移転先ゲートウェイ装置から受信するリダイレクト通知応答受信部を、さらに備え、
前記リダイレクト要求信号作成部は、前記リダイレクト通知応答受信部が前記移転先ゲートウェイ装置から前記リダイレクト通知に対する応答を受信することを条件の一つとして、前記移転先ゲートウェイ装置の識別情報を含むリダイレクト要求信号を作成する、
付記１に記載のゲートウェイ装置（２）。
【０１２８】
（付記３）
自装置の負荷を管理する負荷管理部を、さらに備え、
前記移転先ゲートウェイ装置選択部は、前記電話網から送信された発呼信号を受信した時
に、前記負荷管理部が管理する自装置の負荷が呼処理をすることができる最大負荷以上の場合に、前記移転先ゲートウェイ装置候補リストの中から１つの移転先ゲートウェイ装置を選択する、
付記１及び２のいずれか１つに記載のゲートウェイ装置（３）。
【０１２９】
（付記４）
前記負荷管理部が管理する自装置の負荷が呼処理をすることができる最大負荷以上になったとき、他のゲートウェイ装置に対して、該他のゲートウェイ装置が自ゲートウェイ装置を移転先ゲートウェイ装置として選択することを禁止するための、自ゲートウェイ装置の識別情報を含む輻輳通知を送信する輻輳通知送信部と、
前記負荷管理部が管理する自装置の負荷が呼処理をすることができる最大負荷未満になったとき、前記他のゲートウェイ装置に対して、該他のゲートウェイ装置が自ゲートウェイ装置を移転先ゲートウェイ装置として選択することを許可するための、自ゲートウェイ装置の識別情報を含む正常通知を送信する正常通知送信部と、
を備える付記３に記載のゲートウェイ装置（４）。
【０１３０】
（付記５）
他のゲートウェイ装置から当該他のゲートウェイ装置の識別情報を有する輻輳通知を受信する輻輳通知受信部と、
他のゲートウェイ装置から当該他のゲートウェイ装置の識別情報を有する正常通知を受信する正常通知受信部と、
前記輻輳通知の他のゲートウェイ装置の識別情報を、前記リストの移転先ゲートウェイ装置の候補から除外し、前記正常通知の他のゲートウェイ装置の識別情報を、前記リストの移転先ゲートウェイ装置の候補に追加する移転先ゲートウェイ装置候補管理部と、
を備える付記４に記載のゲートウェイ装置（５）。
【０１３１】
（付記６）
リダイレクト機能を有する電話網とＩＭＳ（Internet Protocol Multimedia Subsystem）網とを接続し、前記電話網内の装置からの発呼信号を前記ＩＭＳ網内の装置へ転送するゲートウェイ装置であって、
他のゲートウェイ装置から、該他のゲートウェイ装置で受信された発呼信号中の呼識別情報を含むリダイレクト通知を受信するリダイレクト通知受信部と、
前記リダイレクト通知の呼識別情報を格納する記憶部と、
前記リダイレクト通知に対する応答を作成するリダイレクト通知応答作成部と、
前記応答を前記他のゲートウェイ装置に送信するリダイレクト通知応答送信部と、
前記電話網から前記他のゲートウェイ装置によるリダイレクト要求に応じて送信される、移転元装置識別情報としての前記発呼信号中の着側装置識別情報と、着側装置識別情報としての自ゲートウェイ装置の識別情報とを含む再発呼信号を受信する受信部と、
前記呼の呼識別情報が前記記憶部に格納される前記呼識別情報の１つと一致した場合、前記再発呼信号中の前記移転元装置識別情報を前記着側装置識別情報として設定した発呼信号を作成する呼処理部と、
前記呼処理部で作成された前記再発呼信号をこの発呼信号中の着側装置識別情報に対応する着側装置に向けて送信する送信部と、
を備えるゲートウェイ装置（６）。
【０１３２】
（付記７）
自装置の負荷を管理する負荷管理部と、
前記負荷管理部が管理する自装置の負荷が呼処理をすることができる最大負荷以上になったとき、他のゲートウェイ装置に対して、該他のゲートウェイ装置が自ゲートウェイ装置を移転先ゲートウェイ装置として選択することを禁止するための、自ゲートウェイ装置の
識別情報を含む輻輳通知を送信する輻輳通知送信部と、
前記負荷管理部が管理する自装置の負荷が呼処理をすることができる最大負荷未満になったとき、前記他のゲートウェイ装置に対して、該他のゲートウェイ装置が自ゲートウェイ装置を移転先ゲートウェイ装置として選択することを許可するための、自ゲートウェイ装置の識別情報を含む正常通知を送信する正常通知送信部と、
を備える付記６に記載のゲートウェイ装置（７）。
【０１３３】
（付記８）
移転先ゲートウェイ装置となり得る少なくとも１つの他のゲートウェイ装置の識別情報を有するリストを格納する記憶部と、
他のゲートウェイ装置から当該他のゲートウェイ装置の識別情報を有する輻輳通知を受信する輻輳通知受信部と、
他のゲートウェイ装置から当該他のゲートウェイ装置の識別情報を有する正常通知を受信する正常通知受信部と、
前記輻輳通知の他のゲートウェイ装置の識別情報を、前記リストの移転先ゲートウェイ装置の候補から除外し、前記正常通知の他のゲートウェイ装置の識別情報を、前記リストの移転先ゲートウェイ装置の候補に追加する移転先ゲートウェイ装置候補管理部と、
を備える付記７に記載のゲートウェイ装置（８）。
【０１３４】
（付記９）
リダイレクト機能を有する電話網とＩＭＳ（Internet Protocol Multimedia Subsystem）網とを接続し、前記電話網内の装置からの発呼信号を前記ＩＭＳ網内の装置へ転送するゲートウェイ装置であって、
呼の移転先となり得る他のゲートウェイ装置の識別情報となり、かつ、迂回呼であることを示す特殊識別情報を有するリストを格納する記憶部と、
前記電話網内の装置から送信された着側装置識別情報及び呼識別情報を含む発呼信号を受信する受信部と、
前記受信部が所定状況下で発呼信号を受信した場合に、前記特殊識別情報リストの中から１つの特殊識別情報を選択する特殊識別情報選択部と、
着側装置識別情報としての選択された前記特殊識別情報及び前記発呼信号中の呼識別情報を含むリダイレクト要求信号を作成するリダイレクト要求信号作成部と、
前記リダイレクト要求信号を、前記発呼信号を送信した電話網内の装置に送信するリダイレクト要求信号送信部と、
を備えるゲートウェイ装置（９）。
【０１３５】
（付記１０）
自装置の負荷を管理する負荷管理部を、さらに備え、
前記特殊識別情報選択部は、前記電話網から送信された呼を受信した時に、前記負荷管理部が管理する自装置の負荷が呼処理をすることができる最大負荷以上の場合に、前記リストの中から１つの特殊識別情報を選択する、
付記９に記載のゲートウェイ装置。
【０１３６】
（付記１１）
前記負荷管理部が管理する自装置の負荷が呼処理をすることができる最大負荷以上になったとき、他のゲートウェイ装置に対して、該他のゲートウェイ装置が自ゲートウェイ装置を移転先ゲートウェイ装置として選択することを禁止するための、自ゲートウェイ装置の識別情報となりかつ迂回呼であることを示す特殊識別情報を含む輻輳通知を送信する輻輳通知送信部と、
前記負荷管理部が管理する自装置の負荷が呼処理をすることができる最大負荷未満になったとき、前記他のゲートウェイ装置に対して、該他のゲートウェイ装置が自ゲートウェイ
装置を移転先ゲートウェイ装置として選択することを許可するための、自ゲートウェイ装置の識別情報となりかつ迂回呼であることを示す特殊識別情報を含む正常通知を送信する正常通知送信部と、
を備える付記１０に記載のゲートウェイ装置。
【０１３７】
（付記１２）
他のゲートウェイ装置から当該他のゲートウェイ装置の識別情報を有する輻輳通知を受信する輻輳通知受信部と、
他のゲートウェイ装置から当該他のゲートウェイ装置の識別情報を有する正常通知を受信する正常通知受信部と、
前記輻輳通知の他のゲートウェイ装置の識別情報となりかつ迂回呼であることを示す特殊識別情報を、前記リストの特殊識別情報の選択候補から除外し、前記正常通知の他のゲートウェイ装置の識別情報となりかつ迂回呼であることを示す特殊識別情報を、前記リストの特殊識別情報の選択候補に追加する移転先ゲートウェイ装置候補管理部と、
を備える付記１１に記載のゲートウェイ装置。
【０１３８】
（付記１３）
リダイレクト機能を有する電話網とＩＭＳ（Internet Protocol Multimedia Subsystem）網とを接続し、前記電話網内の装置からの発呼信号を前記ＩＭＳ網内の装置へ転送するＩＭＳ網内のゲートウェイ装置であって、
自装置で呼を迂回することを処理できる特殊識別情報を格納する記憶部と、
他のゲートウェイ装置からのリダイレクト要求に応じて前記電話網から送信される、移転元装置識別情報と着側装置識別情報とを含む再発呼信号を受信する受信部と、
前記再発呼信号中の着側装置識別情報が前記記憶部に格納される前記特殊識別情報の１つと一致した場合に、前記再発呼信号の前記移転元装置識別情報が前記着側装置識別情報として設定された発呼信号を作成する呼処理部と、
前記呼処理部で作成された発呼信号をこの発呼信号中の着側装置識別情報に対応する着側装置に向けて送信する送信部と、
を備えるゲートウェイ装置（１０）。
【０１３９】
（付記１４）
自装置の負荷を管理する負荷管理部と、
前記負荷管理部が管理する自装置の負荷が呼処理をすることができる最大負荷以上になったとき、他のゲートウェイ装置に対して、該他のゲートウェイ装置が自ゲートウェイ装置を移転先ゲートウェイ装置として選択することを禁止するための、自ゲートウェイ装置の識別情報となりかつ迂回呼であることを示す特殊識別情報を含む輻輳通知を送信する輻輳通知送信部と、
前記負荷管理部が管理する自装置の負荷が呼処理をすることができる最大負荷未満になったとき、前記他のゲートウェイ装置に対して、該他のゲートウェイ装置が自ゲートウェイ装置を移転先ゲートウェイ装置として選択することを許可するための、自ゲートウェイ装置の識別情報となりかつ迂回呼であることを示す特殊識別情報を含む正常通知を送信する正常通知送信部と、
を備える付記１３に記載のゲートウェイ装置。
【０１４０】
（付記１５）
前記記憶部は、呼の移転先となり得る他のゲートウェイ装置の識別情報となり、かつ、迂回呼であることを示す特殊識別情報を有するリストを格納し、
他のゲートウェイ装置から当該他のゲートウェイ装置の識別情報を有する輻輳通知を受信する輻輳通知受信部と、
他のゲートウェイ装置から当該他のゲートウェイ装置の識別情報を有する正常通知を受信
する正常通知受信部と、
前記輻輳通知の他のゲートウェイ装置の識別情報となりかつ迂回呼であることを示す特殊識別情報を、前記リストの特殊識別情報の選択候補から除外し、前記正常通知の他のゲートウェイ装置の識別情報となりかつ迂回呼であることを示す特殊識別情報を、前記リストの特殊識別情報の選択候補に追加する移転先ゲートウェイ装置候補管理部と、
を備える付記１４に記載のゲートウェイ装置。
【図面の簡単な説明】
【０１４１】
【図１】実施形態１におけるネットワークの構成例を示す図である。
【図２】実施形態１における通常の発呼信号に含まれる情報の例を示す図である。
【図３】実施形態１におけるリダイレクト信号に含まれる情報の例を示す図である。
【図４】実施形態１における中継交換機の再発呼信号に含まれる情報の例を示す図である。
【図５】実施形態１における移転元ＭＧＣＦの構成例を示す図である。
【図６】実施形態１における移転元ＭＧＣＦのメッセージ制御部が保持するリダイレクト要否情報の例を示す図である。
【図７】実施形態１におけるリダイレクト通知メッセージに含まれる情報の例を示す図である。
【図８】実施形態１におけるリダイレクト通知応答メッセージに含まれる情報の例を示す図である。
【図９】実施形態１における移転元ＭＧＣＦの負荷・移転先ＭＧＣＦ管理部が有する自装置負荷情報の例を示す図である。
【図１０】実施形態１における移転元ＭＧＣＦの負荷・移転先ＭＧＣＦ管理部が有する移転先候補リストの例を示す図である。
【図１１】実施形態１における移転先ＭＧＣＦの構成例を示す図である。
【図１２】実施形態１における移転先ＭＧＣＦのメッセージ制御部が保持する呼識別番号リストの例を示す図である。
【図１３】実施形態１における迂回シーケンス例を示す図である。
【図１４】実施形態１における移転先候補のＭＧＣＦの情報を設定するシーケンス例（１）を示す図である。
【図１５】実施形態１におけるＭＧＣＦ輻輳通知メッセージに含まれる情報の例を示す図である。
【図１６】実施形態１における移転先候補のＭＧＣＦの情報を設定するシーケンス例（２）を示す図である。
【図１７】実施形態１におけるＭＧＣＦ輻輳通知メッセージに含まれる情報の例を示す図である。
【図１８】実施形態２における迂回シーケンスの例を示す図である。
【図１９】実施形態２におけるリダイレクト信号に含まれる情報の例を示す図である。
【図２０】実施形態２におけるリダイレクト特殊番号リストの例を示す図である。
【図２１】実施形態２における中継交換機の再発呼信号に含まれる情報の例を示す図である。
【符号の説明】
【０１４２】
１０      レガシー網
２０      ＩＭＳ網
１００      レガシー網加入者端末
２００      レガシー網加入者交換機
３００      中継交換機
４００      移転元ＭＧＣＦ
４１０        通信管理部
４２０        メッセージ制御部
４３０        通常メッセージ処理部
４４０        負荷・移転先ＭＧＣＦ管理部
４５０        リダイレクト処理部
５００      移転先ＭＧＣＦ
５１０        通信管理部
５２０        メッセージ制御部
５３０        通常メッセージ処理部
５４０        転送メッセージ処理部
Ｍ１００      通常の発呼信号
Ｍ２００      リダイレクト信号
Ｍ３００      リダイレクト通知メッセージ
Ｍ３５０      リダイレクト通知応答メッセージ
Ｍ４００      再発呼信号
Ｍ５００      ＭＧＣＦ輻輳通知メッセージ
Ｍ６００      ＭＧＣＦ正常通知メッセージ
Ｍ７００      リダイレクト信号
Ｍ８００      再発呼信号
Ｔ１００      自装置負荷情報
Ｔ２００      リダイレクト要否情報
Ｔ３００      移転先候補リスト
Ｔ４００      呼識別番号リスト
Ｔ５００      特殊番号リスト
【図１】
2008199512.tif 000003
【図２】
2008199512.tif 000004
【図３】
2008199512.tif 000005
【図４】
2008199512.tif 000006
【図５】
2008199512.tif 000007
【図６】
2008199512.tif 000008
【図７】
2008199512.tif 000009
【図８】
2008199512.tif 000010
【図９】
2008199512.tif 000011
【図１０】
2008199512.tif 000012
【図１１】
2008199512.tif 000013
【図１２】
2008199512.tif 000014
【図１３】
2008199512.tif 000015
【図１４】
2008199512.tif 000016
【図１５】
2008199512.tif 000017
【図１６】
2008199512.tif 000018
【図１７】
2008199512.tif 000019
【図１８】
2008199512.tif 000020
【図１９】
2008199512.tif 000021
【図２０】
2008199512.tif 000022
【図２１】
2008199512.tif 000023